(57)【要約】【課題】重要部位への浸水を効率よく防止可能な歩行者用エアバッグ装置を提供することを目的とする。【解決手段】本発明にかかる歩行者用エアバッグ装置１００は、車両１０２のエンジンフード１０４の下面１０６に設置される箱型で車幅方向に長いメインボックス１２４と、メインボックス１２４に収容され、ガスを利用してウインドシールド１１４側へ膨張展開するクッション１１２と、エンジンフード１０４の下面１０６の少なくともメインボックス１２４の車両後方において、メインボックス１２４の車幅方向にわたって設置され、エンジンフード１０４の下面１０６から下方へ延びるレインフード１３４と、を備えることを特徴とする。【選択図】図３
2019166973.tif 000002
【特許請求の範囲】
【請求項１】
車両のエンジンフードの下面に設置される箱型で車幅方向に長いメインボックスと、
前記メインボックスに収容され、ガスを利用してウインドシールド側へ膨張展開するクッションと、
前記エンジンフードの下面の少なくとも前記メインボックスの車両後方において、該メインボックスの車幅方向にわたって設置され、該エンジンフードの下面から下方へ延びるレインフードと、
を備えることを特徴とする歩行者用エアバッグ装置。
【請求項２】
前記レインフードは、
前記エンジンフードの下面に面接触するフランジ部と、
前記フランジ部から下方へ延びる縦壁部と、
を有することを特徴とする請求項１に記載の歩行者用エアバッグ装置。
【請求項３】
当該歩行者用エアバッグ装置はさらに、前記レインフードの縦壁部の下端と前記メインボックスとをつなぐ底面部を備え、
前記レインフード、前記メインボックスおよび前記底面部は一体成型されていることを特徴とする請求項２に記載の歩行者用エアバッグ装置。
【請求項４】
当該歩行者用エアバッグ装置はさらに、前記メインボックス、前記縦壁部および前記底面部を互いにつなぐリブを有することを特徴とする請求項３に記載の歩行者用エアバッグ装置。
【請求項５】
当該歩行者用エアバッグ装置はさらに、前記底面部を貫通する排水孔を有することを特徴とする請求項３または４に記載の歩行者用エアバッグ装置。
【請求項６】
当該歩行者用エアバッグ装置はさらに、前記レインフードの前記フランジ部を前記エンジンフードの下面に留める前記クッションの膨圧によって解除可能な留め具を備えることを特徴とする請求項２から５のいずれか１項に記載の歩行者用エアバッグ装置。
【請求項７】
前記レインフードは、前記メインボックスの車両後方だけでなく全周にわたって設けられていることを特徴とする請求項１から６のいずれか１項に記載の歩行者用エアバッグ装置。
【請求項８】
前記メインボックスは、前記エンジンフードの下面側を向く開口を有し、
当該歩行者用エアバッグ装置はさらに、前記メインボックスの開口を覆うボックスカバーを備えることを特徴とする請求項１から７のいずれか１項に記載の歩行者用エアバッグ装置。
【請求項９】
当該歩行者用エアバッグ装置はさらに、
前記メインボックス内に配置され前記クッションに前記ガスを供給するインフレータと、該インフレータを該メインボックス内に固定するブラケットと、
前記メインボックスの底板を前記エンジンフード側へ膨出させた膨出部と、
前記膨出部の上部に設けられ前記ブラケットが取り付けられる第１取付孔と、
を備えることを特徴とする請求項１から７のいずれか１項に記載の歩行者用エアバッグ装置。
【請求項１０】
当該歩行者用エアバッグ装置はさらに、
前記ブラケットを前記第１取付孔に取り付ける第１取付部材と、
前記第１取付孔の縁に設置されて該縁と前記第１取付部材との間を埋める第１封止部材と、
を備えることを特徴とする請求項９に記載の歩行者用エアバッグ装置。
【請求項１１】
前記ブラケットは前記エンジンフード側にも固定されていて、
前記膨出部の上部の前記第１取付孔の周囲には、局所的に板厚が薄く前記クッションの膨圧によって破断可能なティアラインが形成されていることを特徴とする請求項９または１０に記載の歩行者用エアバッグ装置。
【請求項１２】
前記メインボックスは、前記エンジンフードの下面側を向く開口を有し、
当該歩行者用エアバッグ装置はさらに、前記メインボックスの開口を覆うボックスカバーを備えることを特徴とする請求項９から１１のいずれか１項に記載の歩行者用エアバッグ装置。
【請求項１３】
前記ボックスカバーは、前記ブラケットが所定の第２取付部材を介して取り付けられる第２取付孔を有し、
当該歩行者用エアバッグ装置はさらに、前記第２取付孔の縁に設置されて該縁と前記所定の第２取付部材との間を埋める第２封止部材を備えることを特徴とする請求項１２に記載の歩行者用エアバッグ装置。
【請求項１４】
前記第１取付部材および第２取付部材は同一のものであり、
前記同一の取付部材は、前記膨出部、前記ブラケット、前記ボックスカバー、および前記エンジンフードの下面を締結することを特徴とする請求項１３に記載の歩行者用エアバッグ装置。
【発明の詳細な説明】
【技術分野】
【０００１】
本発明は、車両のエンジンフードおよびウインドシールドに接触しようとする歩行者を保護する歩行者用エアバッグ装置に関するものである。
【背景技術】
【０００２】
近年、新たなエアバッグ装置として、従来の車内の乗員（運転者や同乗者）を拘束するフロントエアバッグやカーテンエアバッグとは異なる、車外の歩行者を保護する歩行者用エアバッグ装置が開発されている。主な歩行者用エアバッグ装置は、フロントバンパ付近の内部等に歩行者との接触を検知するセンサが設置されていて、そのセンサによる接触の検知を契機として、歩行者の身体が特に強く接触する部位（例えばウインドシールド）にクッションが膨張展開する仕組みになっている。歩行者用エアバッグ装置には、クッションで歩行者を直接的に受け止めるだけでなく、エンジンフード等の各パネルをクッションで浮かせることでパネルに接触した歩行者に与える衝撃を間接的に和らげる機能もある。
【０００３】
例えば特許文献１に記載の歩行者用エアバッグ装置では、エンジンフードの後端の下面に車幅方向に長いエアバッグケース（容器）が設置されていて、このエアバッグケースからエアバッグ袋体（クッション）がウインドシールド側へ膨張展開する構成となっている。同様に、例えば特許文献２においても、エンジンフードの後端の下面に設置される歩行者用エアバッグ装置が開示されている。
【０００４】
歩行者用エアバッグ装置は、車室内に設置されている各エアバッグ装置に比べて、雨水や洗浄水に接しやすい。そこで、特許文献２では、エアバッグ袋体の膨張展開時に破断するエアバッグケースの破断部をエンジンフードに覆われる位置に設け、水が入り込まないよう配慮している。
【先行技術文献】
【特許文献】
【０００５】
【特許文献１】独国特許出願公開第１０２０１１０８５３３０号明細書
【特許文献２】特開２００３−８９３３３号公報
【発明の概要】
【発明が解決しようとする課題】
【０００６】
しかし、エンジンフードの下面に設置するタイプの歩行者用エアバッグ装置の防水性能の向上を目指す場合、特許文献２には改良の余地がある。エンジンフードの下面は全体的に前方へ向かって緩やかに下降した形状になっていて、雨天時や洗車時等に後方から前方へ向かって水が滴りやすい。この水がクッションの容器に到達すると、容器とエンジンフードの下面との境目が濡れる。そこに走行中の振動が加わると、この境目から水が容器の内部へ浸入することがある。したがって、特許文献２のように、破段部をエンジンフードの下面で隠れる位置に設けたとしても、万全ではない。また、特許文献１に記載されているように、クッションの容器からはエンジンフードに固定するためやインフレータを取り付けるためのボルト類が露出することがある。このようなボルト類が露出していることは、防水性能の面では不利になりやすい。
【０００７】
さらに上記歩行者用エアバッグ装置は、エンジンフードの後端とフロントカウルとの間隙から近い位置に設けられている。そのため、洗車時に高圧で噴射される洗浄水にさらされることがあり、この場合においても容器とエンジンフードの下面との境目およびボルト類の取付孔から浸水するおそれがある。しかしながら、クッションの容器のような比較的大型の部材にラバーを使った密閉機構や溶着処理などの防水対策を十全に施すことは、コストや成型精度の面で効率的ではない。
【０００８】
本発明は、このような課題に鑑み、重要部位への浸水を効率よく防止可能な歩行者用エアバッグ装置を提供することを目的としている。
【課題を解決するための手段】
【０００９】
上記課題を解決するために、本発明にかかる歩行者用エアバッグ装置の代表的な構成は、車両のエンジンフードの下面に設置される箱型で車幅方向に長いメインボックスと、メインボックスに収容され、ガスを利用してウインドシールド側へ膨張展開するクッションと、エンジンフードの下面の少なくともメインボックスの車両後方において、メインボックスの車幅方向にわたって設置され、エンジンフードの下面から下方へ延びるレインフードと、を備えることを特徴とする。
【００１０】
上記構成によれば、エンジンフードの下面をつたう水は、メインボックスに到達する前にレインフードによって遮られて下方へ流れ落ちる。したがって上記構成であれば、メインボックス内のクッション等の重要部位への浸水を防止することが可能である。
【００１１】
上記のレインフードは、エンジンフードの下面に面接触するフランジ部と、フランジ部から下方へ延びる縦壁部と、を有するとよい。この構成により、水の流れはまずフランジ部によって遮られる。そして、フランジ部に接触した水は縦壁部に沿って下方へと流れ落ちる。したがって、メインボックスへの水の到達を効率よく防止することが可能になる。
【００１２】
当該歩行者用エアバッグ装置はさらに、レインフードの縦壁部の下端とメインボックスとをつなぐ底面部を備え、レインフード、メインボックスおよび底面部は一体成型されていてもよい。これら構成によって、例えば上記レインフードとメインボックスおよび底面部を備えたハウジングを具現化することで、防水性能の高い容器を実現することが可能になる。
【００１３】
当該歩行者用エアバッグ装置はさらに、メインボックス、縦壁部および底面部を互いにつなぐリブを有してもよい。リブを備えることで、前述したハウジング等の容器の構造的な強度を向上させることが可能になる。
【００１４】
当該歩行者用エアバッグ装置はさらに、底面部を貫通する排水孔を有するとよい。上記構成では、仮にエンジンフードの下面とフランジ部との境目から浸水したとしても、水は縦壁部の内側をつたって下方へ流れ落ちる。その場合、底面部に排水孔を設けておくことで、レインフードの内部から排水可能になる。
【００１５】
当該歩行者用エアバッグ装置はさらに、レインフードのフランジ部をエンジンフードの下面に留めるクッションの膨圧によって解除可能な留め具を備えるとよい。上述したように、クッションは、ウインドシールドに向かって車両後方へ膨張展開する。その際、メインボックスの車両後方のフランジ部をクリップ等の解除可能な留め部で留めておくことで、エアバッグの膨張展開にともなってフランジ部を効率よく開口させることができる。
【００１６】
上記のレインフードは、メインボックスの車両後方だけでなく全周にわたって設けられているとよい。これにより、メインボックスに対して車幅方向側方や車両前方からの浸水も防止可能になる。
【００１７】
上記のメインボックスは、エンジンフードの下面側を向く開口を有し、当該歩行者用エアバッグ装置はさらに、メインボックスの開口を覆うボックスカバーを備えるとよい。ボックスカバーを備えることによって、メインボックス内のクッションの防水性能をさらに高めることができる。
【００１８】
当該歩行者用エアバッグ装置はさらに、メインボックス内に配置されクッションにガスを供給するインフレータと、インフレータをメインボックス内に固定するブラケットと、メインボックスの底板をエンジンフード側へ膨出させた膨出部と、膨出部の上部に設けられブラケットが取り付けられる第１取付孔と、を備えるとよい。
【００１９】
上記のブラケットはボルト等の取付部材によって周囲の部位に固定する必要があるが、ボルト孔等の取付孔は防水の面において不利になりやすい。そこで上記構成では、メインボックスの底板に膨出部を設け、この膨出部の上部に第１取付孔を設けている。膨出部は、メインボックスの底板がメインボックス内部にて凸に膨らんだ部位である。したがって、この底板の外側（すなわちメインボックスの下面）は膨出部の位置にて上に窪む。すなわち第１取付孔は、メインボックスの外部から見て、下面に設けられた窪みの奥設けられている。そのため、水に濡れる可能性が低く、防水の面で非常に有効になっている。
【００２０】
当該歩行者用エアバッグ装置はさらに、ブラケットを第１取付孔に取り付ける第１取付部材と、第１取付孔の縁に設置されて縁と第１取付部材との間を埋める第１封止部材と、を備えるとよい。この第１封止部材によって、第１取付孔の防水性能を高めることができる。
【００２１】
上記のブラケットは前記エンジンフード側にも固定されていて、膨出部の上部の第１取付孔の周囲には、局所的に板厚が薄くクッションの膨圧によって破断可能なティアラインが形成されていてもよい。このティアラインが破断することで、メインボックスの底板はブラケットとの接続が解除される。これによってメインボックスは、クッションの膨圧でたわむことが可能になり、クッションを効率よく開放することが可能になる。
【００２２】
上記のメインボックスは、エンジンフードの下面側を向く開口を有し、当該歩行者用エアバッグ装置はさらに、メインボックスの開口を覆うボックスカバーを備えるとよい。そしてこのボックスカバーは、ブラケットが所定の第２取付部材を介して取り付けられる第２取付孔を有し、当該歩行者用エアバッグ装置はさらに、第２取付孔の縁に設置されて縁と所定の第２取付部材との間を埋める第２封止部材を備えるとよい。第２取付孔を介することで、ブラケットおよびインフレータをボックスカバーおよびエンジンフードに取り付けることが可能になる。そして第２封止部材によって、第２取付孔の防水性能をタ高めることができる。
【００２３】
上記の第１取付部材および第２取付部材は同一のものであり、同一の取付部材は、膨出部、ブラケット、ボックスカバー、およびエンジンフードの下面を締結するとよい。この構成によって、ブラケットおよびインフレータを１つの取付部材によって効率よく固定することが可能になる。
【発明の効果】
【００２４】
本発明によれば、重要部位への浸水を効率よく防止可能な歩行者用エアバッグ装置を提供することが可能になる。
【図面の簡単な説明】
【００２５】
【図１】本発明の実施形態にかかる歩行者用エアバッグ装置を実施した車両を例示した図である。
【図２】図１（ａ）の歩行者用エアバッグ装置を単独で例示した図である。
【図３】図１（ａ）の歩行者用エアバッグ装置の各断面図である。
【図４】図２（ａ）のハウジング基部を上方から見て例示した図である。
【図５】図３（ａ）の歩行者用エアバッグ装置が膨張展開する過程を例示した図である。
【図６】図４のレインフードの車両後方のフランジ部の変形例を例示した図である。
【発明を実施するための形態】
【００２６】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２７】
図１は、本発明の実施形態にかかる歩行者用エアバッグ装置１００を実施した車両１０２を例示した図である。図１（ａ）は歩行者用エアバッグ装置１００が膨張展開する前の車両１０２を例示していて、図１（ｂ）は歩行者用エアバッグ装置１００が膨張展開した後の車両１０２を例示している。
【００２８】
図１（ａ）に例示するように、歩行者用エアバッグ装置１００は、車両１０２のエンジンルームの内部であって、エンジンフード１０４の後端側の下面１０６（図３（ａ）参照）に設置されている。歩行者用エアバッグ装置１００は、例えばフロントバンパ１０８付近の内部など、主に歩行者の脚部が接触しやすい箇所にセンサ１１０を備えている。センサ１１０が歩行者との接触を検知すると、制御部１１１等を介してインフレータ１１８（図２（ｂ）参照）に稼動信号が送信され、図１（ｂ）のようにクッション１１２が膨張展開する仕組みとなっている。
【００２９】
本実施形態におけるクッション１１２はウインドシールド１１４に沿って膨張展開し、このウインドシールド１１４に接触しようとする歩行者を受け止める。加えて、クッション１１２はエンジンフード１０４を持ち上げてわずかに浮かせる。この動作には、エンジンフード１０４に接触する歩行者に与える衝撃を和らげる効果がある。
【００３０】
図２は、図１（ａ）の歩行者用エアバッグ装置１００を単独で例示した図である。図２（ａ）は、歩行者用エアバッグ装置１００のハウジング１１６を例示した斜視図である。ハウジング１１６は、主に樹脂で形成された長尺な形状の容器であり、クッション１１２（図２（ｂ）参照）やインフレータ１１８等を収容する。ハウジング１１６は、その長手方向を車幅方向に向けて、外周上のフランジ部１３６にボルトやクリップ等を使用してエンジンフード１０４（図３（ａ）参照）の下面に取り付けられる。
【００３１】
図２（ｂ）は、図２（ａ）の歩行者用エアバッグ装置１００の分解図である。ハウジング１１６（図２（ａ）参照）は、箱型のハウジング基部１２０とその蓋となるボックスカバー１２２とを含んで構成されている。ハウジング基部１２０は、中心部分にクッション１１２を収容するメインボックス１２４を有している。メインボックス１２４は、エンジンフード１０４の下面１０６側に開口１２６を有した箱型であって、車幅方向に長い形状になっている。
【００３２】
ボックスカバー１２２は開口１２６を覆う蓋であって、メインボックス１２４の開口１２６に沿った形状になっている。ボックスカバー１２２がメインボックス１２４の蓋として機能することで、クッション１１２やインフレータ１１８等の重要部位の防水性能の向上を図ることができる。このボックスカバー１２２は、例えば不図示のツメ構造などによって開口１２６の縁にはめ込まれ、クッション１１２の膨張展開にともなって開放される。
【００３３】
クッション１１２は、図１（ｂ）に例示したように、ウインドシールド１１４に車幅方向に沿って拡がることのできる大きな形状となっている。クッション１１２は、その表面を構成する複数の基布を重ねて縫製または接着することや、ＯＰＷ（One-Piece Woven）を用いての紡織などによって袋状に形成されている。そして図２（ｂ）に例示するように、クッション１１２は折り畳まれるか巻回されるか、あるいはそれらの両方を施されて、車幅方向に細長い収納形態となってハウジング基部１２０のメインボックス１２４に収容される。
【００３４】
図２（ｂ）に例示するように、インフレータ１１８は、クッション１１２の中心付近の車両前方側に設けられたガス導入部１２８に取り付けられる。インフレータ１１８はガス発生装置であって、制御部１１１等（図１（ａ）参照）から稼動信号を受け、クッション１１２にガスを供給して膨張展開させる。本実施形態で採用しているインフレータ１１８は、シリンダ型（円筒型）のものである。インフレータ１１８は後端にコネクタ１３０を有し、制御部１１１等と不図示のケーブルで接続する。そのケーブルは、メインボックス１２４内の膨出部１６０の上部付近に溝や通過孔および封止材を設けて、外部へ向かって配線することができる。
【００３５】
現在普及しているインフレータには、ガス発生剤が充填されていてこれを燃焼させてガスを発生させるタイプや、圧縮ガスが充填されていて熱を発生させることなくガスを供給するタイプ、さらにはガス発生剤と圧縮ガスとを両方備えたタイプのものなどがある。インフレータ１１８としては、いずれのタイプも利用可能である。
【００３６】
インフレータ１１８は、金属製のバンド等によってブラケット１３２に連結され、ブラケット１３２を介してメインボックス１２４内およびエンジンフード１０４（図３（ａ）参照）に固定される。ブラケット１３２は、主に金属製の堅牢な部材であって、一部がインフレータ１１８の形状に沿って湾曲している。ブラケット１３２は、後述するボルト（図３（ａ）参照）によってメインボックス１２４等に固定される。
【００３７】
本実施形態では、ハウジング基部１２０のメインボックス１２４の周囲に、防水機能を実現するレインフード１３４が設けられている。レインフード１３４は、エンジンフード１０４の下面１０６（図３（ａ）参照）をつたわる水を遮断して、メインボックス１２４およびその内部のクッション１１２等の重要部位が濡れることを防ぐ。
【００３８】
図３は、図１（ａ）の歩行者用エアバッグ装置１００の各断面図である。図３（ａ）は、図１（ａ）の歩行者用エアバッグ装置１００のＡ−Ａ断面図である。レインフード１３４は、エンジンフード１０４の下面１０６から下方へ延びていて、下面１０６をつたわる水（矢印）をメインボックス１２４に到達しないよう遮って下方へ流れ落とす。一般的に、エンジンフード１０４は前方へ向かって緩やかに下降していることが多い。その場合において、レインフード１３４のうち、メインボックス１２４の車両後方にて車幅方向に延びている領域が特に有効に機能する。
【００３９】
レインフード１３４は、フランジ部１３６と縦壁部１３８を有している。フランジ部１３６は、エンジンフード１０４の下面１０６に面接触して、下面１０６に流れる水を直接的に遮断する。縦壁部１３８はフランジ部１３６から下方へ延びていて、フランジ部１３６から受けた水を下方へ流れ落とす。図２（ｂ）に例示したように、レインフード１３４は、メインボックス１２４の車両後方だけでなく全周にわたって設けられている。これによって、メインボックス１２４に対して車幅方向側方や車両前方からの浸水も防止可能になっている。
【００４０】
レインフード１３４の縦壁部１３８の下端とメインボックス１２４とは、底面部１４０でつながっている。通常であれば、レインフード１３４の内部側に水が入ることはない。しかしながら、走行中の振動の如何によっては、フランジ部１３６と下面１０６との境目から次第に水がしみ入るおそれがある。また、ハウジング１１６はエンジンフード１０４の後端１４２とフロントカウル（図示省略）との間隙Ｅ１の近くに設置されるため、洗車時に高圧で噴射される洗浄水がフランジ部１３６と下面１０６の境目から浸入するおそれもある。そのため、万が一レインフード１３４の内部に水が入った場合に備えて、底面部１４０には排水孔１４４が設けられている。排水孔１４４は、底面部１４０を上下に貫通していて、縦壁部１３８の内側をつたって落ちてきた水を下方へ排水する。したがって、レインフード１３４の内側に水が溜まることはない。
【００４１】
図４は、図２（ａ）のハウジング基部１２０を上方から見て例示した図である。図４（ａ）に例示するように、レインフード１３４の内側には複数のリブ１４６が設けられている。リブ１４６は、メインボックス１２４とレインフード１３４の縦壁部１３８および底面部１４０を互いにつないでいる。リブ１４６を備えることで、レインフード１３４およびハウジング１１６の構造的な強度を向上させることが可能になっている。
【００４２】
排水孔１４４は各リブ１４６の間の底面部１４０に設けられている。しかしながら、図４（ｂ）のように、リブ１４６の直下に排水孔１４８を設けることも可能である。排水孔１４８は、底面部１４０とリブ１４６とにわたる孔として設けられている。通常の底面部１４０（図４（ａ）参照）に加えて排水孔１４８も設けることで、より広い領域において排水が可能になる。
【００４３】
本実施形態では、レインフード１３４、メインボックス１２４および底面部１４０がハウジング１１６として一体成型され、防水性能の高い容器を実現している。しかしながら一体のハウジング１１６を実現することは必ずしも必要ではない。また、例えば底面部１４０を省くことやレインフード１３４を部分的に設けることも可能である。レインフード１３４を部分的に設ける場合、レインフード１３４は少なくともメインボックス１２４の車両後方にて車幅方向にわたって設けると有効である。
【００４４】
図３（ｂ）を参照する。図３（ｂ）は、図３（ａ）の歩行者用エアバッグ装置１００の分解図である。ブラケット１３２は、メインボックス１２４側だけでなくエンジンフード１０４側にも固定される。詳細には、ブラケット１３２は、メインボックス１２４の第１取付孔１５０、およびボックスカバー１２２の第２取付孔１５２を介してエンジンフード１０４に、同一の取付部材（ボルト１５４）を使用して締結される。本実施形態では、これら第１取付孔１５０および第２取付孔１５２にも、防水対策を施している。
【００４５】
第１取付孔１５０および第２取付孔１５２のそれぞれには、第１封止部材１５６および第２封止部材１５８が使用される。第１封止部材１５６および第２封止部材１５８はそれぞれ、第１取付孔１５０および第２取付孔１５２の縁に設置されて各縁とボルト１５４との間を埋める。これら第１封止部材１５６および第２封止部材１５８は、例えばガスケットやＯリングなどの樹脂製の封止部材として実現可能である。第１封止部材１５６および第２封止部材１５８によれば、第１取付孔１５０および第２取付孔１５２の防水性能を高め、浸水を効率よく防ぐことができる。なお各封止部材にワッシャ１５９等を組み合わせて使用することも可能である。
【００４６】
本実施形態では、さらなる防水対策として、第１取付孔１５０を膨出部１６０の上部に設けている。膨出部１６０は、メインボックス１２４の底板１６２がメインボックス１２４内部にて凸に膨らんだ部位である。したがって、この底板１６２の外側（メインボックス１２４の下面１６４）は、膨出部１６０の位置にて上に窪んでいる。すなわち第１取付孔１５０は、メインボックス１２４の外部から見ると、下面１６４の窪みの奥に設けられている。そのため、ボルト１５４のヘッドは水に濡れる可能性が低くなり、防水の面で非常に有効になっている。
【００４７】
上述したように、本実施形態では取付部材として一本のボルト１５４を採用し、これによって膨出部１６０、ブラケット１３２、ボックスカバー１２２、およびエンジンフード１０４の下面１０６を同時に効率よく固定している。しかしながら、取付部材は一本に限るわけでなく、ブラケット１３２は、第１取付孔１５０に使用する不図示の第１取付部材、および第２取付孔１５２に使用する不図示の第２取付部材と、複数の取付部材によって固定することも可能である。また、取付部材としてはボルト１５４に限らず、クリップやその他の締結部材および固定部材を適宜使用することが可能である。
【００４８】
図５は、図３（ａ）の歩行者用エアバッグ装置１００が膨張展開する過程を例示した図である。図５に例示するように、クッション１１２は、その膨圧によってハウジング１１６を一部開口させて、ウインドシールド１１４に向かって車両後方へ膨張展開する。その際においてハウジング１１６がスムーズに開口するよう、本実施形態の歩行者用エアバッグ装置１００にはさらなる工夫を施している。
【００４９】
図４に例示するように、膨出部１６０の上部の第１取付孔１５０が設けられた周囲には、複数のティアライン１６６が設けられている。ティアライン１６６は、図３（ａ）に例示するように、局所的に板厚が薄くなっている箇所である。このティアライン１６６は、図５に例示するように、クッション１１２の膨圧によって破断する。ティアライン１６６が破断することで、メインボックス１２４の底板１６２側はブラケット１３２およびボルト１５４との接続が解除される。これによってメインボックス１２４は、クッション１１２の膨圧でたわむことが可能になり、クッション１１２を効率よく開放し、また開口を生じさせてスムーズに膨張展開させることができる。
【００５０】
図３（ａ）に例示するように、メインボックス１２４の車両後方におけるレインフード１３４のフランジ部１３６は、留め具としてクリップ１６８を使用してエンジンフード１０４の下面１０６に留められている。このクリップ１６８は、ボルト１５４等に比べて着脱が容易であり、クッション１１２の膨圧によって解除可能になっている（図５参照）。このように、メインボックス１２４の車両後方のフランジ部１３６をクリップ１６８等の解除可能な留め部で留めておくことで、クッション１１２の膨張展開にともなってフランジ部１３６を効率よく開口させることができる。
【００５１】
解除可能な留め具は、クリップ１６８に限られない。図６は、図４のレインフード１３４の車両後方のフランジ部１３６の変形例を例示した図である。図６（ａ）に例示するように、フランジ部１３６が有する孔部１７０は、ボルト１７２が円形部１７４と、円形部１７４を車両後方に開放させた開放部１７６とを有している。
【００５２】
図６（ｂ）に例示するように、孔部１７０は円形部１７４にボルト１７２を通し、さらにナット１７８等も使用してエンジンフード１０４の下面に留められる。フランジ部１３６にクッション１１２からの圧力がかかった場合、ボルト１７２は円形部１７４から開放部１７６へと抜ける。したがって、この孔部１７０であると、通常のボルト１７２であっても、クッション１１２の膨圧で解除される留め具として利用することができる。
【００５３】
その他、クッション１１２の膨圧で解除可能な留め具としては、破断可能な部分を設けたクリップ（図示省略）などが利用可能である。さらには、フランジ部１３６に破断可能なティアライン（図示省略）を設けたうえボルト１７２でエンジンフード１０４に留め、クッション１１２が膨張展開するとティアラインが破断してエンジンフード１０４への接続が解除される構成とすることも可能である。
【００５４】
以上、添付図面を参照しながら本発明の好適な実施例について説明したが、以上に述べた実施形態は、本発明の好ましい例であって、これ以外の実施態様も、各種の方法で実施または遂行できる。特に本願明細書中に限定される主旨の記載がない限り、この発明は、添付図面に示した詳細な部品の形状、大きさ、および構成配置等に制約されるものではない。また、本願明細書の中に用いられた表現および用語は、説明を目的としたもので、特に限定される主旨の記載がない限り、それに限定されるものではない。
【００５５】
したがって、当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５６】
本発明は、車両のエンジンフードおよびウインドシールドに接触しようとする歩行者を保護する歩行者用エアバッグ装置に利用することができる。
【符号の説明】
【００５７】
１００…歩行者用エアバッグ装置、１０２…車両、１０４…エンジンフード、１０６…下面、１０８…フロントバンパ、１１０…センサ、１１１…制御部、１１２…クッション、１１４…ウインドシールド、１１６…ハウジング、１１８…インフレータ、１２０…ハウジング基部、１２２…ボックスカバー、１２４…メインボックス、１２６…メインボックスの開口、１２８…ガス導入部、１３０…コネクタ、１３２…ブラケット、１３４…レインフード、１３６…フランジ部、１３８…縦壁部、１４０…底面部、１４２…エンジンフードの後端、１４４…リブの間の排水孔、１４６…リブ、１４８…リブの直下の排水孔、１５０…第１取付孔、１５２…第２取付孔、１５４…ボルト、１５６…第１封止部材、１５８…第２封止部材、１５９…ワッシャ、１６０…膨出部、１６２…メインボックスの底板、１６４…メインボックスの下面、１６６…ティアライン、１６８…クリップ、１７０…変形例のフランジ部が有する孔部、１７２…ボルト、１７４…円形部、１７６…開放部、１７８…ナット
【図１】
2019166973.tif 000003
【図２】
2019166973.tif 000004
【図３】
2019166973.tif 000005
【図４】
2019166973.tif 000006
【図５】
2019166973.tif 000007
【図６】
2019166973.tif 000008